(57)【要約】【課題】必要なメモリ容量を増加させることなく高速連写が可能なシャッタ装置を提供する。【解決手段】電子先幕方式による動作が可能なシャッタ装置であって、撮像素子への入射光を遮光するように第１方向に第１走行パターンで移動する第１羽根群（４）と、入射光を遮光するように第１方向とは逆の第２方向に第２走行パターンで移動する第２羽根群（５）と、撮像素子の画素ごとに電荷蓄積を開始するために撮像素子を所定の走査パターンで走査する走査手段（２０８）と、走査手段による走査と第１羽根群の移動との組み合わせ、および、走査手段による走査と第２羽根群の移動との組み合わせのそれぞれにより露光制御を行う制御手段（２０４）とを有し、第２走行パターンは、第１走行パターンを光軸に関して反転させた走行パターンに対応する。【選択図】図７
2018031879.tif 000002
【特許請求の範囲】
【請求項１】
電子先幕方式による動作が可能なシャッタ装置であって、
撮像素子への入射光を遮光するように第１方向に第１走行パターンで移動する第１羽根群と、
前記入射光を遮光するように前記第１方向とは逆の第２方向に第２走行パターンで移動する第２羽根群と、
前記撮像素子の画素ごとに電荷蓄積を開始するために該撮像素子を所定の走査パターンで走査する走査手段と、
前記走査手段による走査と前記第１羽根群の移動との組み合わせ、および、該走査手段による走査と前記第２羽根群の移動との組み合わせのそれぞれにより露光制御を行う制御手段と、を有し、
前記第２走行パターンは、前記第１走行パターンを光軸に関して反転させた走行パターンに対応することを特徴とするシャッタ装置。
【請求項２】
前記第１走行パターンは、前記撮像素子の画素の位置に対応する前記第１羽根群の先端部の位置と時間との関係を示し、
前記第２走行パターンは、前記撮像素子の前記画素の位置に対応する前記第２羽根群の先端部の位置と時間との関係を示す、ことを特徴とする請求項１に記載のシャッタ装置。
【請求項３】
前記所定の走査パターンは、前記撮像素子の画素の蓄積電荷量をゼロにするためのリセット走査を行うリセットラインの位置と時間との関係を示すことを特徴とする請求項１または２に記載のシャッタ装置。
【請求項４】
前記第１方向における前記第１走行パターンと前記第２方向における前記第２走行パターンとは互いに同一であることを特徴とする請求項１乃至３のいずれか１項に記載のシャッタ装置。
【請求項５】
前記所定の走査パターンは、前記第１走行パターンに対応する第１走査パターン、および、前記第２走行パターンに対応する第２走査パターンを含むことを特徴とする請求項１乃至４のいずれか１項に記載のシャッタ装置。
【請求項６】
前記第１方向における前記第１走査パターンと前記第２方向における前記第２走査パターンとは互いに同一であることを特徴とする請求項５に記載のシャッタ装置。
【請求項７】
前記第１羽根群と前記第２羽根群との中間位置に配置されている羽根群を想定した場合、前記所定の走査パターンは、該羽根群が前記撮像素子を遮光する走行パターンに対応して設定されていることを特徴とする請求項１乃至６のいずれか１項に記載のシャッタ装置。
【請求項８】
前記制御手段は、前記走査手段が画素の前記電荷蓄積を開始してから該画素に対応する位置を前記第１羽根群および前記第２羽根群のそれぞれが走行するまでに要する時間が、該画素の位置に応じて異なるように前記所定の走査パターンを設定することを特徴とする請求項１乃至７のいずれか１項に記載のシャッタ装置。
【請求項９】
前記制御手段は、レンズ装置の種別に応じて前記所定の走査パターンを変更することを特徴とする請求項１乃至８のいずれか１項に記載のシャッタ装置。
【請求項１０】
前記制御手段は、レンズ装置の状態に応じて前記所定の走査パターンを変更することを特徴とする請求項１乃至９のいずれか１項に記載のシャッタ装置。
【請求項１１】
前記制御手段は、前記レンズ装置の状態として、該レンズ装置に含まれるレンズの位置に応じて前記所定の走査パターンを変更することを特徴とする請求項１０に記載のシャッタ装置。
【請求項１２】
前記制御手段は、前記レンズ装置の状態として、該レンズ装置の絞り値に応じて前記所定の走査パターンを変更することを特徴とする請求項１０に記載のシャッタ装置。
【請求項１３】
前記制御手段は、前記レンズ装置の状態として、該レンズ装置の射出瞳距離に応じて前記所定の走査パターンを変更することを特徴とする請求項１０に記載のシャッタ装置。
【請求項１４】
前記制御手段は、前記レンズ装置の状態として、該レンズ装置の焦点距離に応じて前記所定の走査パターンを変更することを特徴とする請求項１０に記載のシャッタ装置。
【請求項１５】
前記第１羽根群と前記第２羽根群は、光軸方向において前記撮像素子から互いに異なる距離に配置されており、
前記制御手段は、前記第１羽根群および前記第２羽根群のそれぞれの前記撮像素子からの前記距離に応じて前記所定の走査パターンを変更することを特徴とする請求項１乃至１４のいずれか１項に記載のシャッタ装置。
【請求項１６】
レンズ装置を介して形成された光学像を光電変換する撮像素子と、
電子先幕方式による動作が可能なシャッタ装置と、を有し、
前記シャッタ装置は、
撮像素子への入射光を遮光するように第１方向に第１走行パターンで移動する第１羽根群と、
前記入射光を遮光するように前記第１方向とは逆の第２方向に第２走行パターンで移動する第２羽根群と、
前記撮像素子の画素ごとに電荷蓄積を開始するために該撮像素子を所定の走査パターンで走査する走査手段と、
前記走査手段による走査と前記第１羽根群の移動との組み合わせ、および、該走査手段による走査と前記第２羽根群の移動との組み合わせのそれぞれにより露光制御を行う制御手段と、を有し、
前記第２走行パターンは、前記第１走行パターンを光軸に関して反転させた走行パターンに対応することを特徴とする撮像装置。
【請求項１７】
電子先幕方式による動作が可能なシャッタ装置の制御方法であって、
撮像素子の画素ごとに電荷蓄積を開始するために該撮像素子を第１走査パターンで走査し、該撮像素子への入射光を遮光するように第１方向に第１走行パターンで第１羽根群を移動させるステップと、
前記撮像素子の画素ごとに電荷蓄積を開始するために該撮像素子を第２走査パターンで走査し、該撮像素子への入射光を遮光するように前記第１方向とは逆の第２方向に第２走行パターンで第２羽根群を移動させるステップと、を有し、
前記第２走行パターンは、前記第１走行パターンを光軸に関して反転させた走行パターンに対応することを特徴とするシャッタ装置の制御方法。
【請求項１８】
電子先幕方式による動作が可能なシャッタ装置の制御プログラムであって、
撮像素子の画素ごとに電荷蓄積を開始するために該撮像素子を第１走査パターンで走査し、該撮像素子への入射光を遮光するように第１方向に第１走行パターンで第１羽根群を移動させるステップと、
前記撮像素子の画素ごとに電荷蓄積を開始するために該撮像素子を第２走査パターンで走査し、該撮像素子への入射光を遮光するように前記第１方向とは逆の第２方向に第２走行パターンで第２羽根群を移動させるステップと、をコンピュータに実行させ、
前記第２走行パターンは、前記第１走行パターンを光軸に関して反転させた走行パターンに対応することを特徴とする制御プログラム。
【発明の詳細な説明】
【技術分野】
【０００１】
本発明は、電子先幕方式のシャッタ装置に関する。
【背景技術】
【０００２】
特許文献１には、フォーカルプレーンシャッタ（メカニカルシャッタ）と、撮像素子のリセット走査による電子先幕シャッタとを併用して撮像動作を行う電子先幕方式の撮像装置が開示されている。ここで、電子先幕シャッタは撮像素子面で機能するが、メカニカルシャッタは撮像素子面から光軸方向に離れて配置される。このため、撮像レンズの射出瞳位置などに応じてメカニカルシャッタによる撮像素子面での遮光位置は変化し、露光ムラが発生する。特許文献２には、撮像レンズの射出瞳距離や絞り値などに応じて電子先幕シャッタの走査パターンを設定する撮像装置が開示されている。
【０００３】
また、撮像装置の連写速度を向上させるため、２つの羽根群を用いて往復露光動作が可能な電子先幕方式のシャッタ装置が提案されている。
【先行技術文献】
【特許文献】
【０００４】
【特許文献１】特許第３９８８２１５号
【特許文献２】特許第４９７４５９６号
【発明の概要】
【発明が解決しようとする課題】
【０００５】
しかしながら、特許文献２の構成を、２つの羽根群を備えた電子先幕方式のシャッタ装置に採用しようとすると、２つの羽根群のそれぞれに合わせた電子先幕シャッタの走査パターンをメモリに記憶させる必要があり、必要なメモリ容量が増加してしまう。
【０００６】
そこで本発明の目的は、必要なメモリ容量を増加させることなく高速連写を可能とすることである。
【課題を解決するための手段】
【０００７】
上記目的を達成するための本発明のシャッタ装置は、電子先幕方式による動作が可能なシャッタ装置であって、撮像素子への入射光を遮光するように第１方向に第１走行パターンで移動する第１羽根群と、前記入射光を遮光するように前記第１方向とは逆の第２方向に第２走行パターンで移動する第２羽根群と、前記撮像素子の画素ごとに電荷蓄積を開始するために該撮像素子を所定の走査パターンで走査する走査手段と、前記走査手段による走査と前記第１羽根群の移動との組み合わせ、および、該走査手段による走査と前記第２羽根群の移動との組み合わせのそれぞれにより露光制御を行う制御手段とを有し、前記第２走行パターンは、前記第１走行パターンを光軸に関して反転させた走行パターンに対応する。
【０００８】
本発明の他の目的及び特徴は、以下の実施形態において説明される。
【発明の効果】
【０００９】
本発明によれば、必要なメモリ容量を増加させることなく高速連写が可能となる。
【図面の簡単な説明】
【００１０】
【図１】本実施形態における撮像装置のブロック図である。
【図２】本実施形態におけるシャッタ駆動回路の回路図である。
【図３（ａ）】本実施形態におけるフォーカルプレーンシャッタの分解斜視図である。
【図３（ｂ）】本実施形態におけるフォーカルプレーンシャッタの分解斜視図である。
【図４】本実施形態における電子先幕と各羽根群とによる露光動作を示すタイミングチャートである。
【図５】本実施形態における撮像素子と各羽根群との関係を示す正面図である。
【図６（ａ）】本実施形態において、撮像動作中の撮像レンズとフォーカルプレーンシャッタと撮像素子との関係を示す断面図である。
【図６（ｂ）】本実施形態において、撮像動作中の撮像レンズとフォーカルプレーンシャッタと撮像素子との関係を示す断面図である。
【図６（ｃ）】本実施形態において、撮像動作中の撮像レンズとフォーカルプレーンシャッタと撮像素子との関係を示す断面図である。
【図６（ｄ）】本実施形態において、撮像動作中の撮像レンズとフォーカルプレーンシャッタと撮像素子との関係を示す断面図である。
【図６（ｅ）】本実施形態において、撮像動作中の撮像レンズとフォーカルプレーンシャッタと撮像素子との関係を示す断面図である。
【図６（ｆ）】本実施形態において、撮像動作中の撮像レンズとフォーカルプレーンシャッタと撮像素子との関係を示す断面図である。
【図６（ｇ）】本実施形態において、撮像動作中の撮像レンズとフォーカルプレーンシャッタと撮像素子との関係を示す断面図である。
【図６（ｈ）】本実施形態において、撮像動作中の撮像レンズとフォーカルプレーンシャッタと撮像素子との関係を示す断面図である。
【図７】本実施形態において、第１羽根群および第２羽根群の走行パターンと電子先幕の走査パターンとの関係図である。
【発明を実施するための形態】
【００１１】
以下、本発明の実施形態について、図面を参照しながら詳細に説明する。
【００１２】
まず、図１を参照して、本実施形態における撮像装置について説明する。図１は、撮像装置２００のブロック図である。撮像装置２００は、電子先幕方式による動作が可能なシャッタ装置を有する。撮像レンズ２０１（撮像光学系）からの被写体光は、撮像素子２０３に向かう。撮像レンズ２０１（レンズ装置）は、絞りを有していてもよい。なお本実施形態において、撮像装置２００は、撮像素子２０３を有する撮像装置本体と、撮像装置本体に着脱可能な撮像レンズ２０１（交換レンズ、レンズ装置）とを備えて構成される。ただし本実施形態は、これに限定されるものではなく、撮像レンズと撮像装置本体とが一体的に構成された撮像装置にも適用可能である。
【００１３】
撮像素子２０３は、ＣＭＯＳイメージセンサなどを有し、撮像レンズ２０１（レンズ装置）により形成された被写体像（光学像）を光電変換する。撮像素子２０３に対して物体側に配置されたフォーカルプレーンシャッタ２０２（メカニカルシャッタ）は、後述する第１羽根群４および第２羽根群５を有する。ＣＰＵ２０４（制御手段）は、シャッタ駆動回路２０５を介して、フォーカルプレーンシャッタ２０２（第１羽根群４および第２羽根群５）の動作（駆動）を制御する。第１羽根群４は、撮像素子２０３への入射光を遮光するように第１方向に第１走行パターンで移動する。第２羽根群５は、入射光を遮光するように第１方向とは逆の第２方向に第２走行パターンで移動する。これらの詳細については後述する。
【００１４】
ここで、図２を参照して、シャッタ駆動回路２０５の回路構成について説明する。図２は、シャッタ駆動回路２０５の回路図である。レリーズ動作前、先ＦＥＴ（Ｆｉｅｌｄ  Ｅｆｆｅｃｔ  Ｔｒａｎｓｉｓｔｏｒ）１０６および後ＦＥＴ１０７はＯＦＦ状態である。このため、第１コイル１０２および第２コイル１０３には電流が流れず、電源１００から抵抗１０１を介して第１コンデンサ１０４および第２コンデンサ１０５が充電される（電荷が蓄積される）。レリーズ動作後、ＣＰＵ（Ｃｅｎｔｒａｌ  Ｐｒｏｃｅｓｓｉｎｇ  Ｕｎｉｔ）２０４は、先ＦＥＴ１０６および後ＦＥＴ１０７のそれぞれのゲートに電圧信号を送る。これにより、充電された第１コンデンサ１０４および第２コンデンサ１０５がそれぞれ放電し、第１コイル１０２および第２コイル１０３のそれぞれに電流が流れる。先ダイオード１０８は、第１コンデンサ１０４からの電流が第２コンデンサ１０５に流れることを防止する。後ダイオード１０９は、第２コンデンサ１０５からの電流が第１コンデンサ１０４に流れることを防止する。所定の放電時間後、ＣＰＵ２０４は先ＦＥＴ１０６および後ＦＥＴ１０７のそれぞれへの電圧信号を停止する。これにより、第１コンデンサ１０４および第２コンデンサ１０５は、再度充電される。
【００１５】
図１において、第１スイッチ２１０（ＳＷ１）は撮像準備を開始するためのスイッチであり、第２スイッチ２１１（ＳＷ２）は撮像を開始するためのスイッチである。第１スイッチ２１０および第２スイッチ２１１は、２段スイッチとして構成されており、第１ストロークで第１スイッチ２１０がＯＮし、第２ストロークで第２スイッチ２１１がＯＮする。
【００１６】
レンズ制御手段２１５は、撮像レンズ２０１の焦点距離、絞り径（絞り値）、射出瞳径、射出瞳と撮像素子２０３との間の距離などの撮影条件情報（レンズ装置の状態に関する情報、すなわちレンズ情報）をＣＰＵ２０４に出力する。またレンズ制御手段２１５は、ＣＰＵ２０４からの指示に応じて、撮像レンズ２０１（絞りを含む）の動作（駆動）を制御する。ＣＰＵ２０４は、信号処理回路２０９、垂直駆動変調回路２０８（走査手段）、シャッタ駆動回路２０５、および、レンズ制御手段２１５の制御および演算を行う。またＣＰＵ２０４は、パルス発生回路２０７を介して、走査クロック（水平駆動パルス）や所定の制御パルスを撮像素子２０３へ供給する。
【００１７】
パルス発生回路２０７にて発生した走査クロックのうち垂直走査用のクロックは、垂直駆動変調回路２０８により所定のクロック周波数に変調され、撮像素子２０３に入力される。垂直駆動変調回路２０８は、ＣＰＵ２０４の指令に基づいて、電子先幕としてのリセット走査の走査パターン（走査カーブ）を設定する。また垂直駆動変調回路２０８は、ＣＰＵ２０４の指令に基づいて、撮像素子２０３の画素ごとに電荷蓄積を開始するために撮像素子２０３を所定の走査パターンで走査する。
【００１８】
パルス発生回路２０７は、信号処理回路２０９にもクロック信号を出力する。信号処理回路２０９は、撮像素子２０３から読み出された信号に対して所定の処理（色処理やガンマ補正など）を施すことにより、画像データを生成する。記録媒体２１２は、信号処理回路２０９により処理された画像データを記録する。表示部２１３は、液晶ディスプレイ（ＬＣＤ）などを有し、撮像した画像や各種メニュー画面などを表示する。ＲＡＭ（Ｒａｎｄｏｍ  Ａｃｃｅｓｓ  Ｍｅｍｏｒｙ）２１４は、信号処理回路２０９に接続され、画像データなどを一時的に記憶する記憶手段である。
【００１９】
本実施形態において、ＣＰＵ２０４（制御手段）は、垂直駆動変調回路２０８による走査と第１羽根群４の移動との組み合わせ、および、垂直駆動変調回路２０８による走査と第２羽根群５の移動との組み合わせのそれぞれにより（電子先幕方式の）露光制御を行う。
【００２０】
次に、図３を参照して、フォーカルプレーンシャッタ２０２の構造について説明する。図３はフォーカルプレーンシャッタ２０２の分解斜視図であり、図３（ａ）、（ｂ）はフォーカルプレーンシャッタ２０２を撮像素子２０３側から見た図および被写体側から見た図をそれぞれ示している。フォーカルプレーンシャッタ２０２は、主に、羽根部と駆動部とに分けられる。
【００２１】
まず、フォーカルプレーンシャッタ２０２の羽根部について説明する。シャッタ地板１、仕切り板２、および、カバー板３の３つの板部材にはそれぞれ、互いに類似した形状のアパチャ１ａ、２ａ、３ａが形成されている。これら３つのアパチャ１ａ、２ａ、３ａを重ね合わせて形成される長方形の露光開口は、フォーカルプレーンシャッタ２０２を通過する光束を規定する。シャッタ地板１とカバー板３との間に仕切り板２を設けることにより、２つの羽根室が形成され、各羽根室内に第１羽根群４および第２羽根群５が配置される。すなわち、第１羽根群４は仕切り板２とカバー板３との間に設けられ、第２羽根群５はシャッタ地板１と仕切り板２との間に設けられる。第１羽根群４と第２羽根群５とにより、露光開口が開閉される。
【００２２】
第１羽根群４は、２組の羽根アーム４ａ、４ｂと、４組の遮光羽根４ｄ、４ｅ、４ｆ、４ｇとを備えて構成される。羽根アーム４ａ、４ｂの第１端（遮光羽根が枢支されていない側の端）は、補助地板７の軸７ｋ、７ｌに枢着されている。また羽根アーム４ａ、４ｂは、軸支６を介して、第２端から順次、遮光羽根４ｄ、４ｅ、４ｆ、４ｇに枢支されている。羽根アーム４ａには長孔４ｃが形成されており、第１駆動部材８の駆動ピン８ｂは長孔４ｃと係合する。露光の際に、第１羽根群４は露光開口を開く方向へ走行する。
【００２３】
第２羽根群５は、２組の羽根アーム５ａ、５ｂと、４組の遮光羽根５ｄ、５ｅ、５ｆ、５ｇとを備えて構成されている。羽根アーム５ａ、５ｂの第１端（遮光羽根が枢支されていない側の端）は、補助地板７の軸７ｍ、７ｎに枢着されている。また羽根アーム５ａ、５ｂは、軸支６を介して、第２端から順次、遮光羽根５ｄ、５ｅ、５ｆ、５ｇに枢支されている。羽根アーム５ａには長孔５ｃが形成されており、第２駆動部材９の駆動ピン９ｂは長孔５ｃと係合する。露光の際に、第２羽根群５は露光開口を閉じる方向へ走行する。
【００２４】
次に、駆動部について説明する。補助地板７は、シャッタ地板１にビスによって締結されている。補助地板７には、被写体側に複数の軸７ａ、７ｂ、７ｃ、７ｄ、７ｅ、７ｆが設けられている。
【００２５】
第１駆動部材８は、軸７ａに回転可能に取り付けられている。円形の永久磁石である第１マグネット３２は、第１駆動部材８の先端付近に固定され、光軸方向（図１中の光軸ＯＡに沿った方向）において第１ヨーク３６と略同一の位置に配置されている。第１駆動部材８に設けられた第１駆動ピン８ｂは、シャッタ地板１、カバー板３、および、補助地板７の３組の長孔１ｅ、３ｂ、７ｈを貫通しつつ、羽根アーム４ａの長孔４ｃと係合する。
【００２６】
第２駆動部材９は、軸７ｂに回転可能に取り付けられている。円形の永久磁石である第２マグネット４２は、第２駆動部材９の先端付近に固定され、光軸方向において第２ヨーク４６と略同一の位置に配置されている。第２駆動部材９に設けられた第２駆動ピン９ｂは、シャッタ地板１、カバー板３、および、補助地板７の３組の長孔１ｆ、３ｃ、７ｉを貫通しつつ、羽根アーム５ａの長孔５ｃと係合する。
【００２７】
ＭＧ地板３０は、補助地板７の軸７ａ、７ｂの先端に係合され、また、締結部３０ａ、３０ｂ、３０ｃ、３０ｄにおいて補助地板７の軸７ｃ、７ｄ、７ｅ、７ｆに取り付けられる。
【００２８】
第１マグネット３２、第１ヨーク３６、および第１コイルユニット３７は、本実施形態における第１制御部材を構成する。第１ヨーク３６は、第１マグネット３２の直径よりも大きい穴３６ａを有する。第１コイルユニット３７は、ボビン３７ａとその外周に巻かれたコイル３７ｂにて構成され、第１ヨーク３６に取り付けられる。コイル３７ｂは、フレキシブル基板（不図示）を介して撮像装置２００に接続される。第１ヨーク圧着板３８は、圧着部３８ａにて第１ヨーク３６をＭＧ地板３０に光軸方向へ押して組み付け、押圧３８ｂにて第１ヨーク３６の側面を押すことでＭＧ地板３０の第１ヨーク当接部（不図示）に押して組み付けている。
【００２９】
第２マグネット４２、第２ヨーク４６、および第２コイルユニット４７は、本実施形態における第２制御部材を構成する。第２ヨーク４６は、第２マグネット４２の直径よりも大きい穴４６ａを有する。第２コイルユニット４７は、ボビン４７ａとその外周に巻かれたコイル４７ｂにて構成され、第２ヨーク４６に取り付けられる。コイル４７ｂは、フレキシブル基板（不図示）を介して撮像装置２００に接続される。第２ヨーク圧着板４８は、圧着部４８ａにて第２ヨーク４６をＭＧ地板３０に光軸方向へ押して組み付け、押圧部４８ｂにて第２ヨーク４６の側面を押すことでＭＧ地板３０の第２ヨーク当接部（不図示）に押して組み付けている。本実施形態において、第１マグネット３２と第１ヨーク３６、第２マグネット４２と第２ヨーク４６はそれぞれ、駆動軸７ａと駆動軸７ｂの中間点に関して対称に配置される。
【００３０】
本実施形態の撮像装置２００は、一般的なメカ先幕に代えて電子先幕を採用し、電子先幕と一般的なメカ後幕とを用いて本撮像を行うように構成されている。本実施形態では、メカ後幕として、第１羽根群４または第２羽根群５を用いる。
【００３１】
次に、図４を参照して、撮像装置２００の撮像動作について説明する。図４は、電子先幕と各羽根群とによる露光動作を示すタイミングチャートであり、ライブビュー状態から電子先幕と第２羽根群５とによる露光の１コマ目と、電子先幕と第１羽根群４とによる露光の２コマ目までのタイムチャートを示している。
【００３２】
まず、タイミングＡにおいて、撮像装置２００は待機状態であり、第１駆動部材８および第２駆動部材９はそれぞれ走行前位置で保持され、第１羽根群４が開口を閉じた状態である。このとき、第１コンデンサ１０４および第２コンデンサ１０５はそれぞれ充電されている。
【００３３】
続いてタイミングＢにおいて、ユーザによるレリーズ動作として第２スイッチ２１１がＯＮされると、ＣＰＵ２０４から第１コンデンサ１０４を放電させるための信号が先ＦＥＴ１０６に出力される。これにより、先ＦＥＴ１０６がＯＮ状態となり、第１コンデンサ１０４が所定の期間（Ｂ〜Ｃ）だけ放電する。この間、第１ヨーク３６に磁界が発生することで第１マグネット３２が作動し、第１駆動部材８が駆動される。そして、第１駆動ピン８ｂと係合している第１羽根群４が走行する。第１羽根群４は、第１駆動部材８が緩衝部材（不図示）に接触することで走行を停止する。これにより、露光開口が開けられ、撮像レンズ２０１からの光束が撮像素子２０３に到達する状態になる。続いてタイミングＣにおいて、第１コンデンサ１０４は、放電を停止し、再度充電される。
【００３４】
続いてタイミングＤにおいて、撮像素子２０３の第２羽根群５の走行方向に合わせた電子先幕走査を行うことにより、フォーカルプレーンシャッタ２０２の１コマ目の露光が開始される。このときの電子先幕の走査パターンについては後述する。タイミングＤから所定の期間経過後にタイミングＥに移る。このときの所定の期間は、撮像装置２００に設定された露光時間と略等しい。
【００３５】
タイミングＥにおいて、ＣＰＵ２０４から第２コンデンサ１０５を放電させるための信号が後ＦＥＴ１０７に出力されると、後ＦＥＴ１０７がＯＮ状態となり、第２コンデンサ１０５が所定の期間だけ放電する。この間、第２ヨーク４６に磁界が発生することで第２マグネット４２が作動（回転）し、第２駆動部材９が駆動される。そして、第２駆動ピン９ｂと係合している第２羽根群５が走行する。第２羽根群５は、第２駆動部材９が緩衝部材（不図示）に接触することで走行を停止する。続いてタイミングＦにおいて、撮像素子２０３の電子先幕走査が完了し、撮像素子２０３の全ての画素が電荷蓄積状態となる。
【００３６】
続いてタイミングＧにおいて、第２羽根群５の走行が完了し、露光開口が閉められ、撮像レンズ２０１からの光束は撮像素子２０３に到達できない状態になる。続いてタイミングＨにおいて、第２コンデンサ１０５は、放電を停止し、再度充電される。またＣＰＵ２０４は、撮像素子２０３の電荷蓄積を停止する。なお、ここでユーザによるレリーズ動作が行われていない場合、第２羽根群５が開口を閉めた状態になり、このまま撮像装置２００の待機状態となる。
【００３７】
続いてタイミングＩにおいて、フォーカルプレーンシャッタ２０２の２コマ目の露光動作が開始される。このとき、シャッタ駆動回路２０５の電源１００の電圧印加方向は、タイミングＥにおける電圧印加方向と逆に設定される。ＣＰＵ２０４は、後ＦＥＴ１０７をＯＮ状態とし、第２ヨーク４６に磁界を発生させて第２マグネット３４２をタイミングＥにおける回転方向と逆に作動させる。第２羽根群５は、タイミングＡにおける撮像装置２００の待機状態と同様の位置まで移動される。これにより、露光開口が開けられ、撮像レンズ２０１からの光束が撮像素子２０３に到達する状態になる。続いてタイミングＪにおいて、第２コンデンサ１０５は、放電を停止し、再度充電される。
【００３８】
続いてタイミングＫにおいて、撮像素子２０３の第１羽根群４の走行方向に合わせた電子先幕走査を行うことにより、フォーカルプレーンシャッタ２０２の２コマ目の露光が開始される。このときの電子先幕の走査パターンについては後述する。タイミングＫから所定の期間経過後にタイミングＬに移る。このときの所定の期間は、撮像装置２００に設定された露光時間と略等しい。
【００３９】
続いてタイミングＬにおいて、シャッタ駆動回路２０５の電源１００の電圧印加方向はタイミングＢの場合の電圧印加方向と逆に設定される。ＣＰＵ２０４から第１コンデンサ１０４を放電させるための信号が先ＦＥＴ１０６に出力されると、先ＦＥＴ１０６がＯＮ状態となり、第１コンデンサ１０４が所定の期間だけ放電する。この間、第１ヨーク３６に磁界が発生することで第１マグネット３２をタイミングＢにおける回転方向と逆に作動させ、第１駆動部材８が駆動される。そして、第１駆動ピン８ｂと係合している第１羽根群４が走行する。第１羽根群４は、第１駆動部材８が緩衝部材（不図示）に接触することで走行を停止する。
【００４０】
このように第１羽根群４および第２羽根群５は、露光の際の走行において、重畳状態から展開状態へ移動する。また、第１マグネット３２と第１ヨーク３６、および、第２マグネット４２と第２ヨーク４６は、駆動軸７ａと駆動軸７ｂの中間点に関して対称に配置されている。これにより、タイミングＬにおける第１羽根群４の走行パターン（第１走行パターン、第１走行カーブ）とタイミングＥにおける第２羽根群５の走行パターン（第２走行パターン、第２走行カーブ）は、光軸ＯＡに関して反転させると互いに略同一になる。ここで、略同一とは、厳密に同一であることに限定されるものではなく、実質的に同一であると評価される場合を含む意味である。
【００４１】
続いてタイミングＭにおいて、撮像素子２０３の電子先幕走査が完了し、撮像素子２０３の全ての画素が電荷蓄積状態となる。続いてタイミングＮにおいて、第１羽根群４の走行が完了し、露光開口が閉められ、撮像レンズ２０１からの光束は撮像素子２０３に到達できない状態になる。続いてタイミングＯにおいて、第１コンデンサ１０４は、放電を停止し、再度充電される。またＣＰＵ２０４は、撮像素子２０３の電荷蓄積を停止する。以上で２コマ目の露光が完了となり（タイミングＰ）、タイミングＡの撮像装置２００の待機状態と同一になる。
【００４２】
次に、図５を参照して、本実施形態の電子先幕による撮像動作について説明する。図５は、撮像素子２０３と各羽根群（第１羽根群４、第２羽根群５）との関係を示す正面図であり、撮像素子２０３および各羽根群を撮像レンズ２０１側から光軸方向に沿って観察した様子を示している。図５において、３００は、撮像素子２０３の撮像面である。３００ａは、撮像素子２０３のリセット走査を行っているライン（リセットライン）である。リセット走査はリセットライン３００ａ上の画素の蓄積電荷量をゼロにするために行われ、リセットライン３００ａは電子先幕の先端に相当する。
【００４３】
図５（ａ）は、レリーズ釦の押下により撮像が開始された後の、電子先幕のリセット走査および第２羽根群５のシャッタ走行が途中にあるときの状態を示している。リセットライン３００ａと第２羽根群５の先端部５００との間のスリットによって形成される領域３０４は、撮像素子２０３において露光による電荷蓄積が行われている領域（電荷蓄積領域）である。第２羽根群５が走行する場合、リセットライン３００ａは矢印Ａの方向へ走行する。電荷蓄積領域は、電子先幕と第２羽根群５の走行に従って、矢印Ａの方向へ移動する。
【００４４】
図５（ｂ）は、レリーズ釦の押下により撮像が開始された後の、電子先幕のリセット走査および第１羽根群４のシャッタ走行が途中にあるときの状態を示している。リセットライン３００ａと第１羽根群４の先端部４００との間のスリットによって形成される領域３０４は、撮像素子２０３において露光による電荷蓄積が行われている領域（電荷蓄積領域）である。第１羽根群４が走行する場合、リセットライン３００ａは矢印Ｂの方向へ走行する。電荷蓄積領域は、電子先幕と第１羽根群４の走行に従って、矢印Ｂの方向へ移動する。
【００４５】
このように、第１走行パターンは、撮像素子２０３の画素の位置に対応する第１羽根群４の先端部４００の位置と時間との関係を示し、第２走行パターンは、撮像素子２０３の画素の位置に対応する第２羽根群５の先端部５００の位置と時間との関係を示す。また、所定の走査パターンは、撮像素子２０３の画素の蓄積電荷量をゼロにするためのリセット走査を行うリセットライン３００ａの位置と時間との関係を示す。
【００４６】
撮像素子２０３の画素において、リセットライン３００ａが通過してから、すなわちリセット動作が開始されてから、第１羽根群４または第２羽根群５によって遮光状態となるまでの期間は、画素の露光による電荷蓄積時間に相当する。撮像面２のリセットライン３００ａの移動は、垂直駆動変調回路２０８により制御される。リセットライン３００ａの移動は、図６および図７を参照して後述するように制御され、リセットライン３００ａの移動パターンを走査パターンと称する。この走査パターンは、撮像素子２０３の領域（ライン）ごとにリセット走査が行われるタイミングを示している。
【００４７】
次に、図６（ａ）乃至図６（ｈ）を参照して、撮像動作中の撮像レンズ２０１とフォーカルプレーンシャッタ２０２と撮像素子２０３との関係について説明する。図６（ａ）乃至図６（ｈ）は、撮像動作中の撮像レンズ２０１とフォーカルプレーンシャッタ２０２と撮像素子２０３との関係を示す断面図である。各図において、２０１ａ（２０１ｂ）は撮像レンズ２０１の射出瞳位置、Ｌは射出瞳距離である。
【００４８】
図６（ａ）は、図４に示されるタイミングＥで撮像動作を開始して第２羽根群５が光軸ＯＡを通過し、光軸ＯＡから距離Ｈまで走行したときの状態を示している。スリット幅Ｓは、光軸ＯＡと直交する方向における第２羽根群５とリセットライン３００ａとの距離である。露光幅Ｙは、撮像レンズ２０１の光束が第２羽根群５により遮光されるラインとリセットライン３００ａとにより形成される領域の幅である。
【００４９】
図６（ｂ）は、タイミングＬで撮像動作を開始して第１羽根群４が光軸を通過し、光軸ＯＡから距離Ｈまで走行したときの状態を示している。第１羽根群４とリセットライン３００ａの距離に相当するスリット幅Ｓ’は、前述のスリット幅Ｓと同一であり、光軸ＯＡに関して反転させた走査パターンであることを示している。このとき露光幅Ｙ’は、図６（ａ）に示される露光幅Ｙよりも小さい。これは、第１羽根群４の撮像素子２０３からの距離Ｘ１が第２羽根群５の撮像素子２０３からの距離Ｘ２よりも大きく、レンズ光束を遮光するラインがよりリセットライン３００ａに近づいいているためである。これを解決するため、例えば第１羽根群４の走行の際に、リセットライン３００ａは露光幅Ｙ’が第２羽根群５の露光幅Ｙと略同一となるようにスリット幅を決定し、第２羽根群５と異なる走査パターンを設けることが考えられる。しかしこの場合、走査パターンの種類が増加することにより、ＣＰＵ２０４内の容量（メモリ容量）が増加してしまう。
【００５０】
本実施形態では、第１羽根群４および第２羽根群５の走行の際におけるリセットライン３００ａの走査パターンとして、光軸ＯＡに関して互いに反転させた同一の走査パターンが設定される。図６（ｃ）は、第２羽根群５が光軸ＯＡを通過して光軸ＯＡから距離Ｈまで走行したときのリセットライン３００ａのタイミングを示している。図６（ｄ）は、第１羽根群４が光軸ＯＡを通過して光軸ＯＡから距離Ｈまで走行したときのリセットライン３００ａのタイミングを示している。図６（ｃ）および図６（ｄ）において、３１０は、光軸方向において第１羽根群４と第２羽根群５との中間である、撮像素子２０３からの距離が（Ｘ１＋Ｘ２）／２に位置すると想定された第三羽根群である。図６（ｃ）および図６（ｄ）において、リセットライン３００ａは、第三羽根群により遮光されるラインでの露光幅がＹ″となり、適正な露出となるようにスリット幅Ｓ″が設定されている。実際の露光幅は、図６（ｃ）では第２羽根群５により遮光されるラインとリセットライン３００ａとの幅Ｙ２であり、適正露出幅となる幅Ｙ２に対してＹ２−Ｙ″分がオーバー露出となる。また図６（ｄ）では、実際の露光幅は第１羽根群４により遮光されるラインとリセットライン３００ａとの幅Ｙ１であり、適正露出幅となる幅Ｙ１に対してＹ１−Ｙ″分がアンダー露出となる。これらの露出差は、｜Ｙ２−Ｙ″｜＝｜Ｙ１−Ｙ″｜となり、非常に小さい。したがって、１コマ目と２コマ目の露出差は目立たない。
【００５１】
図６（ｅ）は、タイミングＥでの撮像動作を開始して第２羽根群５が光軸ＯＡから距離Ｈまで走行したときの状態、図６（ｆ）はタイミングＥでの撮像動作を開始して第２羽根群５が光軸ＯＡを通過して光軸ＯＡから距離Ｈまで走行したときの状態である。図６（ｅ）および図６（ｆ）での撮像動作中のスリット幅Ｓを同一にした場合、図６（ｆ）での露光幅Ｙａ´よりも図６（ｅ）での露光幅Ｙａのほうが大きい。このため、羽根群の走行パターンに沿った走査パターンにて電子先幕を行うと、羽根群の動き始め付近は露出がオーバー露出になり、羽根群の動き終わり付近は露出がアンダー露出となり、露出差が生じてしまう。
【００５２】
また露出差は、撮像レンズ２０１の射出瞳位置に応じて異なる。図６（ｅ）および図６（ｆ）において、射出瞳距離Ｌからの光束または射出瞳距離Ｌ’からの光束が第２羽根群５により遮光されるラインとリセットライン３００ａとにより形成される領域の幅を比較すると、Ｙａ＜Ｙｂ、Ｙａ´＜Ｙｂ´である。このため、射出瞳位置２０１ａのように射出瞳距離が短い撮像レンズを用いると、露出差が大きくなる。従って、撮像レンズの射出瞳位置ごとに走査パターンを補正することが好ましい。ＣＰＵ２０４の内部メモリは、補正された走査パターンを複数保持している。ＣＰＵ２０４は、撮像レンズの射出瞳位置に応じて複数の走査パターン（補正走査パターン）のうちの一つを選択し、選択した走査パターンに従ってリセットライン３００ａが移動するように垂直駆動変調回路２０８を制御する。
【００５３】
図６（ｇ）は、タイミングＬでの撮像動作を開始して第１羽根群４が光軸ＯＡから距離Ｈまで走行したときの状態、図６（ｈ）はタイミングＬでの撮像動作を開始して第１羽根群４が光軸ＯＡを通過して光軸ＯＡから距離Ｈまで走行したときの状態である。図６（ｇ）および図６（ｈ）での撮像動作中のスリット幅Ｓを同一にした場合、図６（ｈ）での露光幅Ｙｃ´よりも図６（ｈ）での露光幅Ｙｃのほうが大きい。このため、羽根群の走行パターンに沿った走査パターンにて電子先幕を行うと、羽根群の動き始め付近は露出がオーバー露出になり、羽根群の動き終わり付近は露出がアンダー露出となり、露出差が生じてしまう。
【００５４】
また露出差は、撮像レンズ２０１の射出瞳位置に応じて異なる。図６（ｇ）および図６（ｈ）において、射出瞳距離Ｌからの光束または射出瞳距離Ｌ’からの光束が第１羽根群４により遮光されるラインとリセットライン３００ａとにより形成される領域の幅を比較すると、Ｙｃ＜Ｙｄ、Ｙｃ´＜Ｙｄ´である。このため、射出瞳位置２０１ａのように射出瞳距離が短い撮像レンズを用いると、露出差が大きくなる。従って、撮像レンズの射出瞳位置ごとに走査パターンを補正することが好ましい。ＣＰＵ２０４の内部メモリは、補正された走査パターンを複数保持している。ＣＰＵ２０４は、撮像レンズの射出瞳位置に応じて複数の走査パターン（補正走査パターン）のうちの一つを選択し、選択した走査パターンに従ってリセットライン３００ａが移動するように垂直駆動変調回路２０８を制御する。
【００５５】
次に、図７を参照して、第１羽根群４および第２羽根群５のそれぞれの走行パターンと電子先幕の走査パターンとの関係について説明する。図７は、第１羽根群４および第２羽根群５のそれぞれの走行パターンと電子先幕の走査パターンとの関係図である。図７において、横軸は時間、縦軸は撮像素子２０３の垂直方向における位置（垂直位置）をそれぞれ示している。
【００５６】
図７（ａ）は、図６（ｅ）における射出瞳距離Ｌの撮像レンズを用いた場合を示している。図７（ａ）において、３２２は、図４におけるタイミングＥでの第２羽根群５の走行パターン（第２走行パターン）であり、走行開始から徐々に速度が上がる状態を示している。３２３は、射出瞳距離の補正をしていない電子先幕の走査パターンである。走査パターン３２３と走行パターン３２２の時間方向の距離に相当する撮像素子２０３の各ラインの露光時間は略一定（垂直位置に応じて変化せず、いずれの位置においても略一定）である。３２１は、図４におけるタイミングＤでの電子先幕のリセット走査の走査パターン（所定の走査パターン、第２走査パターン）である。走査パターン３２１は、撮像レンズの射出瞳距離Ｌに応じて補正されている。後述するように、第２羽根群５の動き始め付近（Ｗ１）では露出がオーバー露出になるため、露光時間を短くする（走査パターン３２１と走行パターン３２２との距離を相対的に小さくする）。一方、第２羽根群５の動き終わり付近（Ｗ２）では露出がアンダー露出となるため、露光時間を長くする（走査パターン３２１と走行パターン３２２との距離を相対的に大きくする）。
【００５７】
図７（ａ）において、３３２は、図４におけるタイミングＬでの第１羽根群４の走行パターン（第１走行パターン）であり、走行開始から徐々に速度が上がる状態を表している。３３３は、射出瞳距離の補正をしていない電子先幕の走査パターンである。走査パターン３３３と走行パターン３３２の時間方向の距離に相当する撮像素子２０３の各ラインの露光時間は略一定（垂直位置に応じて変化せず、いずれの位置においても略一定）である。３３１は、図４におけるタイミングＫでの電子先幕のリセット走査の走査パターン（所定の走査パターン、第１走査パターン）である。走査パターン３３１は、撮像レンズの射出瞳距離Ｌに応じて補正されている。前述と同様に、第１羽根群４の動き始め付近（Ｗ３）では露出がオーバー露出になるため、露光時間を短くする（走査パターン３３１と走行パターン３３２との距離を相対的に小さくする）。一方、第１羽根群４の動き終わり付近（Ｗ４）では露出がアンダー露出となるため、露光時間を長くする（走査パターン３３１と走行パターン３３２との距離を相対的に大きくする）。
【００５８】
前述したように射出瞳距離が短い撮像レンズを用いた場合、射出瞳距離が長い撮像レンズと比べて、撮像レンズを通過した光線の撮像素子２０３への入射角度が光軸ＯＡに対して大きな角度となり得る。すなわち、撮像素子２０３の（垂直方向の）上下にて露出差が生じる。このため、図７（ａ）に示されるように各羽根群の動き始め付近では露光時間を短くし、各羽根群の動き終わり付近では露光時間を長くするように、電子先幕の走査パターンを調整する。すなわち、図７（ａ）に示されるように走査パターン３２３、３３３を走査パターン３２１、３３１のように補正する必要がある。
【００５９】
図７（ａ）において、Ｔ１は、図６（ｃ）における光軸ＯＡからの距離Ｈにて電子先幕の走査パターンが通過してから第２羽根群５が通過するまでに要する時間である。Ｔ２は、図６（ｄ）における光軸ＯＡからの距離Ｈにて電子先幕の走査パターンが通過してから第１羽根群４が通過するまでに要する時間である。時間Ｔ１、Ｔ２は互いに同一の時間である。ただし、第１羽根群４および第２羽根群５は、撮像素子２０３からの距離が互いに異なるため、前述のようにそれぞれの露出幅はＹ１、Ｙ２のように互いに異なる。すなわち、図７（ａ）の電子先幕の走査パターン３２１、３３１は、撮像レンズの射出瞳距離に応じて補正されており、かつ、２つの羽根群（第１羽根群４、第２羽根群５）の撮像素子２０３からの距離に応じて補正されている。
【００６０】
一方、射出瞳距離が十分長い撮像レンズを用いた場合、射出瞳距離が短い撮像レンズと比べて、撮像レンズを通過した光線の撮像素子２０３への入射角度が光軸ＯＡに対して小さな角度となり得る。すなわち、撮像素子２０３の位置による露出差は小さい。このため、各羽根群の走行パターン（走行カーブ）と略同一形状の走査パターン（走査カーブ）を用いて適正な露光が得られる。ここで略同一形状とは、厳密に同じ形状である場合に限定されるものではなく、実質的に同一であると評価される形状を含む意味である。
【００６１】
図７（ｂ）は、十分に長い射出瞳距離Ｌ´の撮像レンズを用いた場合を示している。電子先幕の走査パターン３２３と第２羽根群５の走行パターン３２２、および、走査パターン３３３と第１羽根群４の走行パターン３３２とは、それぞれ略同一形状のパターン（カーブ）であり、撮像素子２０３の垂直位置の全てにおいて適正な露光が得られる。このときの電子先幕の走査パターン３２３、３３３は、撮像レンズの射出瞳距離に応じた補正および各羽根群の撮像素子２０３からの距離に応じた補正のいずれも行っていない。
【００６２】
図７（ａ）、（ｂ）に示されるように、第１羽根群４の走行パターン３３２と第２羽根群５の走行パターン３２２は、光軸ＯＡを中心として一方の走行パターンを反転させることにより互いに略同一の形状となる。また、電子先幕の２つの走査パターンも、光軸ＯＡに関して一方の走査パターンを反転させることにより互いに略同一形状となる。ただし、電子先幕の２つの走査パターンは、射出瞳距離などの撮像レンズの状態に応じて切り替えられる（補正した走査パターンと補正しない走査パターンとの切り替え）。複数の走査パターンは、ＣＰＵ２０４（の内部メモリ）に保持されている。ＣＰＵ２０４は、以下のように走査パターンを切り替える。
【００６３】
走査パターンの切り替え（または、射出瞳距離の決定）に利用可能な情報の例として、以下のような情報がある。なお本実施形態では、走査パターンの決定に用いるために取得される情報（射出瞳距離そのものの情報を含む）を総称して射出瞳距離に関する情報という。射出瞳距離に関する情報としては、例えば以下の情報がある。
【００６４】
例えば、マクロレンズなどのフォーカスの際の繰り出し量の大きい撮像レンズでは、その繰り出し量に応じて射出瞳距離が変化する。従って、フォーカスの際の繰り出し量などのフォーカス情報に従って電子先幕のリセット走査の走査パターンを変更することができる。すなわち、この場合（撮像レンズ２０１がマクロレンズである場合）は、フォーカスの際のレンズの繰り出し量などのフォーカス情報を射出瞳距離に関する情報とする。
【００６５】
また、開放絞りの大きい撮像レンズでは、絞りの開口径を大きくするほど、射出瞳距離が短い撮像レンズと同様の露光ムラが生じる。このため、フォーカルプレーンシャッタ２０２を用いる場合、絞りの開口径が大きくなるほど、リセット走査開始付近ではリセット走査から羽根群が通過するまでの時間を短くし、リセット走査終了付近では長くすればよい。すなわち、この場合は、開放絞りなど絞りの開口径に関する情報を射出瞳距離に関する情報とする。
【００６６】
また、一般的には、ズームレンズの焦点距離を短くすれば射出瞳距離も短くなる。このため、ズームレンズの焦点距離が短くなるほど、リセット走査開始付近ではリセット走査から羽根群が通過するまでの時間を短くし、リセット走査終了付近では長くすればよい。すなわち、この場合は、撮像レンズ２０１の焦点距離に関する情報を射出瞳に関する情報とする。ただし、撮像レンズの種類によってはズームレンズの焦点距離を短くすると反対に射出瞳距離が長くなる場合もある。このためＣＰＵ２０４は、レンズごとに焦点距離に関する情報を加味した撮像レンズの種類に応じて適宜走査パターンを選択する構成であればよい。
【００６７】
本実施形態では、２つの羽根群のいずれかと電子先幕とを用いた撮像動作において、電子先幕の２つの走査パターンを光軸に関して一方の走査パターンを反転させた場合に略同一となる走査パターンを用いることで、必要なメモリ容量の増大を回避することができる。また、既存の部品を用いて構成することができるため、装置を大きくすることない。また、１コマ目と２コマ目との間に部品を動作させることがないため、高速連写が可能である。
【００６８】
このように本実施形態において、第２走行パターンは、第１走行パターンを光軸に関して反転させた走行パターンに対応する。好ましくは、第１方向における第１走行パターンと第２方向における第２走行パターンとは互いに同一である。また好ましくは、所定の走査パターンは、第１走行パターンに対応する第１走査パターン、および、第２走行パターンに対応する第２走査パターンを含む。より好ましくは、第１方向における第１走査パターンと第２方向における第２走査パターンとは互いに同一である。
【００６９】
好ましくは、第１羽根群と第２羽根群との中間位置に配置されている羽根群（仮想羽根群）を想定した場合、所定の走査パターンは、仮想羽根群が撮像素子を遮光する走行パターンに対応して設定されている。また好ましくは、制御手段は、走査手段が画素の電荷蓄積を開始してから画素に対応する位置を第１羽根群および第２羽根群のそれぞれが走行するまでに要する時間が、画素の位置に応じて異なるように所定の走査パターンを設定する。
【００７０】
好ましくは、制御手段は、レンズ装置（撮像レンズ２０１）の種別に応じて所定の走査パターンを変更する。また好ましくは、制御手段は、レンズ装置の状態（撮影条件情報）に応じて所定の走査パターンを変更する。レンズ装置の状態は、レンズ装置に含まれるレンズの位置、絞り値、射出瞳距離、および、焦点距離の少なくとも一つを含む。また好ましくは、第１羽根群と第２羽根群は、光軸方向において撮像素子から互いに異なる距離に配置されており、制御手段は、第１羽根群および第２羽根群のそれぞれの撮像素子からの距離に応じて所定の走査パターンを変更する。
【００７１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７２】
本実施形態によれば、必要なメモリ容量を増加させることなく高速連写が可能なシャッタ装置、撮像装置、シャッタ装置の制御方法、および、制御プログラムを提供することができる。
【００７３】
以上、本発明の好ましい実施形態について説明したが、本発明はこれらの実施形態に限定されず、その要旨の範囲内で種々の変形及び変更が可能である。
【符号の説明】
【００７４】
４  第１羽根群
５  第２羽根群
２０４  ＣＰＵ（制御手段）
２０８  垂直駆動変調回路（走査手段）
【図１】
2018031879.tif 000003
【図２】
2018031879.tif 000004
【図３（ａ）】
2018031879.tif 000005
【図３（ｂ）】
2018031879.tif 000006
【図４】
2018031879.tif 000007
【図５】
2018031879.tif 000008
【図６（ａ）】
2018031879.tif 000009
【図６（ｂ）】
2018031879.tif 000010
【図６（ｃ）】
2018031879.tif 000011
【図６（ｄ）】
2018031879.tif 000012
【図６（ｅ）】
2018031879.tif 000013
【図６（ｆ）】
2018031879.tif 000014
【図６（ｇ）】
2018031879.tif 000015
【図６（ｈ）】
2018031879.tif 000016
【図７】
2018031879.tif 000017